(57)【要約】【課題】バスドラムの向きに体を正対させた状態で、体の向きとペダルの踏み込む向きを変えることができるドラム用フットペダルとして、簡易な構造で、演奏中でも足の向きを微調整できるようにすることを課題とする。【解決手段】フレーム１０に基端が回動自在に固定されたペダル３０を踏み込むことで、当該ペダル３０の先端側に連結される前記フレーム１０に回動自在に固定されたビータ２０を回動させてバスドラムヘッドを殴打するドラム用フットペダルＸにおいて、前記ペダル３０を棒状体とする。【選択図】  図１
2011145398.tif 000002
【特許請求の範囲】
【請求項１】
フレームに基端側が回動自在に固定されたペダルを踏み込むことで、当該ペダルの先端側に連結される当該フレームに回動自在に固定されたビータを回動させてバスドラムヘッドを殴打するドラム用フットペダルにおいて、
前記ペダルが棒状体から成るものであることを特徴とするドラム用フットペダル。
【発明の詳細な説明】
【技術分野】
【０００１】
本発明はバスドラムを鳴らすために用いるフットペダルに関する。
【背景技術】
【０００２】
ドラム用フットペダルは、ペダルを踏み込むと、これに連動するビータがバスドラムのドラムヘッドを殴打する構造を有するものであり、通常、上面から見て、ぺダルを踏み込む方向とビータの移動方向は一致する。
しかし、このようにペダルを踏むと、脚の構造上各関節が動きにくくなり、結果として脚全体が動きにくくなる。これを避けるためには、脚がペダルの向きに対して若干斜めに向くように座ると良い。
このような場合の脚の動きに対応するために、下記特許文献には、ドラム用フットペダルにおいて、上面から見てビータの移動方向と、ペダルの踏み込む方向とを変えることができるようにペダルを回動させることができる発明が示されている。
【先行技術文献】
【特許文献】
【０００３】
【特許文献１】特開平８−１４６９４６号公報
【特許文献２】特開２００３−９１２７６号公報
【発明の概要】
【発明が解決しようとする課題】
【０００４】
しかし、上記特許文献に記載の発明は、ペダルを回動させて固定する機構を設ける必要があり構造が複雑になり、ペダルとビータを連結するベルト等にねじれが生じるので、長時間の使用により劣化することが避けられない。また、ペダルを固定すると踏み込みながらペダルの角度を変えることはできないので、演奏中に足の角度を適宜変えるようなことはできない。
本発明は、このような問題に鑑みて、バスドラムの向きに体を正対させた状態で、体の向きとペダルの踏み込む向きを変えることができるドラム用フットペダルとして、簡易な構造で、演奏中でも足の向きを適宜変えることできるようにすることを課題とする。
【課題を解決するための手段】
【０００５】
上記課題を解決するために、本発明は次のような構成を有する。
即ち、本願発明は、フレームに基端が回動自在に固定されたペダルを踏み込むことで、当該ペダルの先端側に連結される前記フレームに回動自在に固定されたビータを回動させてバスドラムヘッドを殴打するドラム用フットペダルにおいて、前記ペダルを棒状体としたものである。
【発明の効果】
【０００６】
ペダルを棒状体とすることで、ペダルが板状の場合と異なり、上面から見て足がペダルに対して斜めになった状態でペダルを踏み込んでも、ペダルの幅方向におけるほぼ中心を踏むことができる。また、上面から見たペダルの向きをビータの移動方向と異なるように回動させる構造を要せず、ペダルを棒状体とするだけであるので、構造を簡単かつ堅牢なものとすることができる。また、ペダルを調節することなく足の向きを変えることができるので、踏み込みながら足の角度を変えたり、演奏中に適宜足の向きを微調整したりすることができる。さらに、ペダルを棒状体とすることで足裏がペダルの中心軸周りに回転してもペダルを十分に踏み込めるので、立体的な足裏の動きにも追従することができる。
【図面の簡単な説明】
【０００７】
【図１】実施形態に係るドラム用フットペダルの斜視図である
【図２】（ａ）〜（ｃ）は、実施形態に係るドラム用フットペダルの使用状態を示す平面図である。
【発明を実施するための形態】
【０００８】
以下、本発明の実施の形態について、図面を参照しながら説明する。
図１に本実施の形態に係るドラム用フットペダルＸの斜視図を示す。ドラム用フットペダルＸはフレーム１０にビータ部２０、ペダル３０を連動するように固定したものである。
フレーム１０は、ビータ２０部の回転軸を保持する軸支部１１ａが上端に設けられた二本の縦フレーム１１、縦フレーム１１の下端を連結する前方に転倒防止板１２ａが設けられた床面に設置される横フレーム１２、ペダル３０の基端側を回動自在に保持する床面に設置される板状体からなる後部フレーム１４、先端側が縦フレーム１１の真ん中近傍に固定され基端側が後部フレーム１４に固定される棒材からなり、基端側から約5分の4までが床面に設置するように後部フレーム１４に平行に延び先端側で上方に屈曲するように折り曲げられる２本の側部フレーム１３とから構成される。
【０００９】
ビータ２０部は、先端に殴打体２１ａを支持する棒体からなるビータ本体２１、ビータ本体２１の基端部を固定し、前記縦フレーム１２の軸支部１１ａに回動自在に両端を保持される回転軸２２、回転軸２２のほぼ中央に固定される前方に突出するカムである回動カム２３、回動軸２２の軸支部１１ａの外側に延びる端部に固定される下方側に突出するカムである戻りカム２４、戻りカム２４下端部に上端が固定され、下端を縦フレーム１１に固定される引っ張りバネ２５とから構成される。
ペダル３０は、丸棒体からなり、基端部３１は、後部フレーム１４に回動自在に保持されるとともに、先端部３２は、連結ベルト３２ａによりビータ部２０の回動カム２３に連結されている。
【００１０】
以上のような構成を有するドラム用フットペダルＸの動作は一般的なドラム用フットペダルの動作と同様であり、ペダル３０を踏み込むとペダル３０が基端部３１を中心に下方に回動し、先端部３２が下方に移動して連結ベルト３２ａを下方に引っ張る。これにより、連結ベルト３２ａに引かれて突出部分が下がるように回動カム２３が回動し、回動カム２３を固定している回転軸２２も回転して、回転軸２２に固定されているビータ本体２１が回動してドラムヘッドを殴打する。一方、この回転によって回動する戻りカム２４の突出部分が上がることによって引っ張りバネ２５が引っ張られるので、足の踏み込みを緩めると、引っ張りバネ２５がカム２４を戻すように縮み、これにより回転軸２２が元の状態に戻ることでビータ本体２１も元の位置に戻る。なお、フレーム１０及びビータ部２０の構成は本実施形態に示したものは一例であり適宜変形が可能である。
【００１１】
本実施形態に係るドラム用フットペダルＸは、ペダル３０を棒状体とすることで、踏み込む足の角度の自由を高めることができる。このことを図２の各平面図を用いて説明する。通常の板状のドラム用フットペダルＸでは、図２（ａ）のように足Ｆの方向と、ペダル３０の方向は一致した状態でしか使用は困難である。一方、ペダル３０が棒状体の場合、図２（ｂ）のように、足Ｆを開いた状態に斜めにペダル３０を踏み込んでもペダル３０の幅方向の中心近傍を踏み込むことができるので、ペダル３０に十分な力を加えることができる。また、図２（ｃ）のように、足Ｆを内股気味に回転させた状態に斜めにペダル３０を踏み込んでも、やはり、同じようにペダル３０の幅方向の中心近傍を踏み込み、ペダル３０に十分な力を加えることができる。
これに対して、ペダル３０が仮に板状体であった場合、図２（ｂ）のように足Ｆを開いた状態でペダルを踏み込むとペダルの左側の縁部に力が加わることになり、板状体のペダルをねじる力が生じるため十分な力をビータに伝えることができない。同様に、ペダル３０が仮に板状体であった場合、図２（ｃ）のように足Ｆを内側に回転させた状態でペダルを踏み込むとペダルの右側の縁部に力が加わることになり、やはり十分な力をビータに伝えることができない。
また、図２（ｂ）（ｃ）のように足Ｆを斜めにして踏み込む場合、地面に対して鉛直かつペダル３０の中心軸を通る平面に対して足Ｆの裏面が垂直ではなく、少し斜めに向かって動かした方がペダル３０を強く踏み込むことができる。このような動きをした場合でもペダル３０が棒状体である場合、ペダル３０の幅方向の中心近傍を踏み込むことで力をうまく捕らえることができ、かつ、図２（ｂ）（ｃ）のような足の向きの切り替えを容易に行うことができる。一方、ペダル３０が仮に板状体であった場合は、板体の左右の縁部を斜め方向に踏むこととなるが、図２（ｂ）（ｃ）のような足の向きの切り替え時に板幅分の足の移動が必要となるため合理的ではない。
そして、ペダル３０を踏み込みながら足Ｆを開く又は閉じるように動かしても、さらに、ペダル３０の中心軸周りに足Ｆが回るように動かしても、ペダル３０が棒状体であれば、常に幅方向の中心近傍を踏み込むことができるので、足のＦの立体的な動きに追従して力を捕らえることができる。
さらに、足の角度を適宜変化させても、ペダル３０が棒状であればペダル３０の幅方向の中心近傍を踏み込むことができるので、演奏中であっても足の角度を調整することができる。
なお、本実施形態では、ペダル３０を丸棒により構成しているが、断面多角形状の棒状体を採用してもよく。また、表面に滑り止めのための凹凸を設けたりや滑り止め加工を施したりしてもよい。
【符号の説明】
【００１２】
Ｘ  ドラム用フットペダル
１０  フレーム
２０  ビータ部
３０  ペダル
【図１】
2011145398.tif 000003
【図２】
2011145398.tif 000004